(57)【要約】  識別体を用いることなく、設備の画像と当該設備を特定する情報とを自動で関連付けることができる設定端末を提供する。設定端末４は、管理対象となる領域に設置された設備１の調整に用いられる設備設定部５と、設備設定部５が動作しているときに、現在調整の対象となっている設備１の設備ＩＤを設備設定部５から抽出するＩＤ抽出部６と、カメラ３によって新規に撮影された画像を検出する画像検出部８と、ＩＤ抽出部６による設備ＩＤの抽出及び画像検出部８による画像の検出のうち一方が行われた状態で他方が行われた場合に、当該画像と当該設備ＩＤとを関連付ける関連付け実行部９と、を備える。
2017098583.tif 000002
【特許請求の範囲】
【請求項１】
管理対象となる領域に設置された設備の調整に用いられる設備設定部と、
前記設備設定部が動作しているときに、現在調整の対象となっている設備の設備ＩＤを前記設備設定部から抽出するＩＤ抽出部と、
カメラによって新規に撮影された画像を検出する画像検出部と、
前記ＩＤ抽出部による設備ＩＤの抽出及び前記画像検出部による画像の検出のうち一方が行われた状態で他方が行われた場合に、当該画像と当該設備ＩＤとを関連付ける関連付け実行部と、
を備えた設定端末。
【請求項２】
前記設備設定部は、グラフィカルユーザインターフェースを有するアプリケーションであり、
前記ＩＤ抽出部は、前記設備設定部のウィンドウ内に表示される設備ＩＤを画像認識により抽出する請求項１に記載の設定端末。
【請求項３】
前記設備設定部のウィンドウ内における設備ＩＤの表示位置を前記設備設定部ごとに示す表示位置テーブルを記憶しているテーブル記憶部を備え、
前記ＩＤ抽出部は、前記表示位置テーブルに基づいて設備ＩＤの抽出を行う請求項２に記載の設定端末。
【請求項４】
携帯可能に形成され、前記カメラを内蔵した請求項１から３のいずれか１項に記載の設定端末。
【請求項５】
請求項１から４のいずれか１項に記載の設定端末と、
管理対象となる領域に設置された設備を管理する設備管理装置と、
を備え、
前記関連付け実行部は、前記ＩＤ抽出部により抽出された設備ＩＤと関連付けられた画像を前記設備管理装置に登録する設備管理システム。
【発明の詳細な説明】
【技術分野】
【０００１】
本発明は、設定端末及び設備管理システムに関するものである。
【背景技術】
【０００２】
下記特許文献１には、監視対象となる設備が撮影された画像と当該設備を特定する情報とを自動で関連付ける監視システムが記載されている。
【先行技術文献】
【特許文献】
【０００３】
【特許文献１】日本特開２０１４−１９１５３６号公報
【発明の概要】
【発明が解決しようとする課題】
【０００４】
特許文献１に記載の監視システムでは、設備の画像と当該設備を特定する情報とを関連付けるために、二次元コード等を有する識別体を当該設備に付ける必要がある。このため、上記の監視システムは、例えば、監視対象となる設備を多数備えた建物等に対して適用し難い。【０００５】
本発明は、上記の課題を解決するためになされた。その目的は、識別体を用いることなく、設備の画像と当該設備を特定する情報とを自動で関連付けることができる設定端末及び設備管理システムを提供することである。
【課題を解決するための手段】
【０００６】
本発明に係る設定端末は、管理対象となる領域に設置された設備の調整に用いられる設備設定部と、設備設定部が動作しているときに、現在調整の対象となっている設備の設備ＩＤを設備設定部から抽出するＩＤ抽出部と、カメラによって新規に撮影された画像を検出する画像検出部と、ＩＤ抽出部による設備ＩＤの抽出及び画像検出部による画像の検出のうち一方が行われた状態で他方が行われた場合に、当該画像と当該設備ＩＤとを関連付ける関連付け実行部と、を備えたものである。【０００７】
本発明に係る設備管理システムは、上記設定端末と、管理対象となる領域に設置された設備を管理する設備管理装置と、を備え、関連付け実行部は、ＩＤ抽出部により抽出された設備ＩＤと関連付けられた画像を設備管理装置に登録するものである。
【発明の効果】
【０００８】
本発明に係る設定端末において、関連付け実行部は、ＩＤ抽出部による設備ＩＤの抽出及び画像検出部による画像の検出のうち一方が行われた状態で他方が行われた場合に、当該画像と当該設備ＩＤとを関連付ける。このため、本発明によれば、識別体を用いることなく、設備の画像と当該設備を特定する情報とを自動で関連付けることができる。
【図面の簡単な説明】
【０００９】
【図１】本発明の実施の形態１における設備管理システムの構成図である。
【図２】本発明の実施の形態１における設備設定部の一例を示す図である。
【図３】本発明の実施の形態１における設定端末の動作の一例を示すフローチャートである。
【図４】本発明の実施の形態２における設備管理システムの構成図である。
【図５】本発明の実施の形態２における設備設定部の第１の例を示す図である。
【図６】本発明の実施の形態２における設備設定部の第２の例を示す図である。
【図７】本発明の実施の形態２における設定端末の動作の一例を示すフローチャートである。
【図８】本発明の実施の形態３における設備管理システムの構成図である。
【図９】設定端末のハードウェア構成図である。
【発明を実施するための形態】
【００１０】
添付の図面を参照して、本発明を詳細に説明する。各図では、同一又は相当する部分に同一の符号を付している。重複する説明は、適宜簡略化あるいは省略する。
【００１１】
実施の形態１．
設備管理システムは、管理対象となる少なくとも１つの領域に適用される。設備管理システムが適用され得る領域は、例えば、建物内の部屋、建物の階及び建物全体等である。実施の形態１では、設備管理システムが１つの建物全体に適用された場合について例示する。
【００１２】
図１は、実施の形態１における設備管理システムの構成図である。
【００１３】
建物には、複数の設備１が設置されている。建物全体では、例えば、数百から数千の設備１が設置されている。設備１は、例えば、受変電設備、空調設備、照明設備及び衛生設備等である。設備１は、当該設備１を特定する情報として設備ＩＤを有している。どの設備１がどのような設備ＩＤを有しているかを示す情報は、例えば、各設備１のメーカーから入手可能である。
【００１４】
設備１は、図１に示す設備管理装置２によって管理される。設備管理装置２は、例えば、建物内に設けられている。設備管理装置２は、１つの建物に対して少なくとも１つ設けられている。設備管理装置２は、例えば、建物内の一部又は全ての設備１を管理する装置である。設備管理装置２は、例えば、中央監視装置、建物内の照明設備を管理する照明管理装置又は建物内の空調設備を管理する空調管理装置等である。設備管理装置２には、各種の設備１の写真画像を登録することが可能である。設備１の写真画像は、例えば、作業者が携帯するカメラ３で撮影される。作業者は、例えば、設備１の工事担当者等である。
【００１５】
作業者は、カメラ３及び設定端末４を携帯している。カメラ３は、例えば、無線通信機能を有するデジタルカメラ等である。設定端末４は、携帯可能な大きさ及び形状に形成されている。設定端末４は、例えば、無線通信機能を有するノートパソコン又はタブレット端末等である。カメラ３は、有線通信及び無線通信の少なくとも一方により設定端末４と通信可能である。設定端末４は、有線通信及び無線通信の少なくとも一方により設備１と通信可能である。設定端末４は、有線通信及び無線通信の少なくとも一方により設備管理装置２と通信可能である。
【００１６】
図１に示すように、設定端末４は、設備設定部５、ＩＤ抽出部６、画像保存部７、画像検出部８及び関連付け実行部９を備えている。設定端末４は、図示しない表示部を備えている。表示部は、例えば、液晶画面等である。
【００１７】
作業者は、例えば、設備１の調整を行う際に、設備設定部５に対して操作を行う。設備１の調整とは、例えば、初期設定、設定変更及び動作確認等を含む。設備１の調整は、設定端末４が当該設備１と通信可能に接続された状態で実施される。設備設定部５は、作業者によって行われた操作に基づいて、設備１の設定を行う。
【００１８】
ＩＤ抽出部６は、設備設定部５を常時監視している。ＩＤ抽出部６は、設備設定部５が動作しているときに、現在調整の対象となっている設備１の設備ＩＤを設備設定部５から抽出する。
【００１９】
作業者は、例えば、設備設定部５が動作しているときに、現在調整の対象となっている設備１の写真をカメラ３で撮影する。カメラ３は、例えば、撮影された画像を無線通信により設定端末４に送信する。カメラ３は、撮影が行われるたびに、撮影された画像を設定端末４に送信する。カメラ３から送信された画像は、画像保存部７に保存される。
【００２０】
画像検出部８は、画像保存部７を常時監視している。画像検出部８は、画像保存部７に新規に保存された画像を検出する。つまり、画像検出部８は、カメラ３によって撮影された最新の画像を検出する。画像検出部８は、画像保存部７に新規に画像が保存されると、当該画像を特定するための画像特定情報を関連付け実行部９に送信する。画像特定情報は、例えば、画像のファイル名又は画像の保存場所等である。画像特定情報は、例えば、画像データ自体であってもよい。
【００２１】
関連付け実行部９は、現在調整の対象となっている設備１の設備ＩＤをＩＤ抽出部６から取得する。関連付け実行部９は、画像検出部８から受信した画像特定情報により特定される画像とＩＤ抽出部６から取得した設備ＩＤとを関連付ける。なお、「画像と設備ＩＤとの関連付け」には、当該画像を特定するための画像特定情報と設備ＩＤとの関連付けが含まれるものとする。
【００２２】
図２は、実施の形態１における設備設定部の一例を示す図である。図２は、設備設定部５がグラフィカルユーザインターフェースを有するアプリケーションである場合の例を示している。設備設定部５であるアプリケーションは、少なくとも操作を受け付けている間は、設定端末４の表示部にアプリケーションウィンドウを表示させる。
【００２３】
図２に示すように、設備設定部５のウィンドウ内には、それぞれの設備１ごとに、設備ＩＤ欄、設備名称欄、調整状況欄及び対象欄が設けられている。対象欄は、現在どの設備１が調整対象となっているかを示す。図２は、０００１．０４．００００００１という設備ＩＤを有する１階の照明設備が現在調整の対象となっていることを示している。作業者は、例えば、設備設定部５に対して操作を行うことで、これから調整する設備１に対応する対象欄にチェックを付ける。作業者は、例えば、設備設定部５に対して操作を行うことで、調整を完了した設備１に対応する対象欄のチェックを外す。
【００２４】
図３は、実施の形態１における設定端末の動作の一例を示すフローチャートである。
【００２５】
ＩＤ抽出部６は、調整対象となっている設備１の設備ＩＤを設備設定部５から抽出する（ステップＳ１０１）。画像検出部８は、画像保存部７に新規の画像が保存されているか否かを判定する（ステップＳ１０２）。ステップＳ１０２で新規の画像が保存されていないと判定された場合、画像検出部８は、ステップＳ１０２の処理を繰り返す。
【００２６】
ステップＳ１０２で新規の画像が保存されていると判定された場合、画像検出部８は、関連付け実行部９に当該画像の画像特定情報を送信する（ステップＳ１０３）。関連付け実行部９は、調整対象となっている設備１の設備ＩＤをＩＤ抽出部６から取得する（ステップＳ１０４）。ステップＳ１０４に続いて、関連付け実行部９は、画像と設備ＩＤとを関連付ける（ステップＳ１０５）。ステップＳ１０５の後は、ステップＳ１０２からの処理が繰り返される。
【００２７】
このように、関連付け実行部９は、例えば、ＩＤ抽出部６による設備ＩＤの抽出が既に行われた状態で画像検出部８による画像の検出が行われた場合に、当該画像と当該設備ＩＤとを関連付ける。さらに、関連付け実行部９は、画像検出部８による画像の検出が既に行われた状態でＩＤ抽出部６による設備ＩＤの抽出が行われた場合にも、当該画像と当該設備ＩＤとを関連付けてもよい。つまり、関連付け実行部９は、例えば、カメラ３で設備１の写真が撮影された後に設備設定部５を用いて当該設備１の調整が開始された場合にも、画像と設備ＩＤとの関連付けを行ってもよい。
【００２８】
実施の形態１において、設備設定部５は、管理対象となる領域に設置された設備１の調整に用いられる。ＩＤ抽出部６は、設備設定部５が動作しているときに、現在調整の対象となっている設備１の設備ＩＤを設備設定部５から抽出する。画像検出部８は、カメラ３によって新規に撮影された画像を検出する。関連付け実行部９は、ＩＤ抽出部６による設備ＩＤの抽出及び画像検出部８による画像の検出のうち一方が行われた状態で他方が行われた場合に、当該画像と当該設備ＩＤとを関連付ける。つまり、例えば、設備設定部５を用いて設備１の調整を行いながら当該設備１を撮影すれば、当該設備１の写真画像と当該設備１の設備ＩＤとが関連付けられる。このため、実施の形態１によれば、識別体を用いることなく、設備１の画像と当該設備１を特定する情報とを自動で関連付けることができる。その結果、例えば、実際に設置されているものとは異なる設備１の写真画像を誤って登録することを防止できる。また、実施の形態１によれば、設備１を撮影するたびに自動で関連付けが行われるため、設備管理装置２に画像を登録する際に手動で関連付けを行う必要がない。その結果、設備管理装置２への画像の登録作業を簡略化し、作業者の負担を軽減することができる。
【００２９】
実施の形態１において、設備設定部５は、例えば、グラフィカルユーザインターフェースを有するアプリケーションである。ＩＤ抽出部６は、例えば、設備設定部５のウィンドウ内に表示される設備ＩＤを画像認識により抽出する。このため、例えば、設定端末４にインストールされた設備設定アプリケーションから設備ＩＤをデータとして直接抽出できない場合であっても、関連付け実行部９は設備ＩＤを取得できる。その結果、設備設定部５であるアプリケーションの仕様に関係なく、設備１の画像と当該設備１を特定する情報とを自動で関連付けることができる。
【００３０】
実施の形態２．
以下、実施の形態１との相違点を中心に、設定端末及び設備管理システムの構成を説明する。実施の形態１と同一又は相当する部分には同一の符号を付して、一部の説明を省略する。
【００３１】
図４は、実施の形態２における設備管理システムの構成図である。
【００３２】
図４に示すように、実施の形態２において、設備設定部５は、複数設けられている。設定端末４は、テーブル記憶部１０を備えている。
【００３３】
図５は、実施の形態２における設備設定部の第１の例を示す図である。図６は、実施の形態２における設備設定部の第２の例を示す図である。図５及び図６は、設備設定部５がグラフィカルユーザインターフェースを有するアプリケーションである場合の例を示している。図５及び図６は、表示部に表示される設備設定部５のウィンドウを示している。以下、図５に示す設備設定部５を「アプリケーション１」と呼び、図６に示す設備設定部５を「アプリケーション２」と呼ぶ。
【００３４】
図５に示す「アプリケーション１」は、図２に示す設備設定部５と同様のものである。図５は、０００１．１４．００００００１という設備ＩＤを有する１階の空調設備が現在調整の対象となっていることを示している。「アプリケーション１」からは、設備ＩＤをデータとして直接抽出することができない。
【００３５】
図６に示すように、「アプリケーション２」のウィンドウ内には、設備ＩＤ欄、設備名称欄及び設定値欄が設けられている。「アプリケーション２」は、少なくともウィンドウ内における設備ＩＤ欄の配置が「アプリケーション１」と異なる。設定値欄は、例えば、設備名称欄に表示されている設備１の動作内容等を示す。図６は、図５で調整対象となっていることが示される１階の空調設備が暖房運転を行っていることを示している。「アプリケーション２」からは、設備ＩＤをデータとして直接抽出することができない。
【００３６】
テーブル記憶部１０は、表示位置テーブルを記憶している。下記表１は、表示位置テーブルの一例を示している。
【００３７】
【表１】
2017098583.tif 000003
【００３８】
表１に示すように、表示位置テーブルには、アプリケーションごとに「Ｘ座標起点」、「Ｙ座標起点」、「Ｘ幅」及び「Ｙ幅」が記憶されている。「Ｘ座標起点」は、アプリケーションのウィンドウの左上の角から設備ＩＤ欄の左上の角までの横方向における距離を示す。「Ｙ座標起点」は、アプリケーションのウィンドウの左上の角から設備ＩＤ欄の左上の角までの縦方向における距離を示す。「Ｘ座標起点」及び「Ｙ座標起点」は、設備ＩＤ欄の始点を特定する。設備ＩＤ欄の始点は、図５及び図６において星印で示されている。「Ｘ幅」は、設備ＩＤ欄の横幅を示す。「Ｙ幅」は、設備ＩＤ欄の縦幅を示す。つまり、表示位置テーブルは、設備設定部５のウィンドウ内における設備ＩＤの表示位置を設備設定部５ごとに示すものである。
【００３９】
なお、表１は、１階の空調設備についての表示位置テーブルを例示したものである。テーブル記憶部１０は、他の設備１についての表示位置テーブルも記憶している。つまり、表示位置テーブルは、例えば、個々の設備１ごとに記憶されている。
【００４０】
実施の形態２において、作業者は、必要に応じて、設備１の調整に使用する設備設定部５を切り替える。ＩＤ抽出部６は、例えば、設備設定部５であるアプリケーションの実行ファイル名等に基づいて、操作を受け付ける設備設定部５が変化したことを検出する。ＩＤ抽出部６は、複数の設備設定部５のうち、現在操作を受け付けている設備設定部５を監視対象とする。つまり、ＩＤ抽出部６は、例えば、設備設定部５である複数のアプリケーションのうちアクティブなものを監視する。ＩＤ抽出部６は、設備ＩＤの抽出を行うために、表示位置テーブルを参照する。ＩＤ抽出部６は、表示位置テーブルから監視対象である設備設定部５のウィンドウ内における設備ＩＤの表示位置を読み込む。ＩＤ抽出部６は、当該表示位置に基づいて、監視対象である設備設定部５の設備ＩＤ欄に表示されている設備ＩＤを画像認識により抽出する。
【００４１】
図７は、実施の形態２における設定端末の動作の一例を示すフローチャートである。
【００４２】
ＩＤ抽出部６は、操作を受け付ける設備設定部５が変化したか否かを判定する（ステップＳ２０１）。ステップＳ２０１で操作を受け付ける設備設定部５が変化したと判定された場合、ＩＤ抽出部６は、現在操作を受け付けている設備設定部５に監視対象を変更する（ステップＳ２０２）。ステップＳ２０２に続いて、ＩＤ抽出部６は、調整対象となっている設備１の設備ＩＤを設備設定部５から抽出する（ステップＳ２０３）。ステップＳ２０１で操作を受け付ける設備設定部５が変化していないと判定された場合、ＩＤ抽出部６は、監視対象を変更せずにステップＳ２０３の処理を行う。
【００４３】
図７におけるステップＳ２０４からステップＳ２０７までの処理は、図３におけるステップＳ１０２からステップＳ１０５までの処理と同様である。
【００４４】
実施の形態２において、テーブル記憶部１０は、設備設定部５のウィンドウ内における設備ＩＤの表示位置を設備設定部５ごとに示す表示位置テーブルを記憶している。ＩＤ抽出部６は、表示位置テーブルに基づいて、画像認識により設備ＩＤの抽出を行う。このため、実施の形態２によれば、複数の設備設定アプリケーションを用いて調整を行う場合であっても、設備１の画像と当該設備１を特定する情報とを自動で関連付けることができる。
【００４５】
実施の形態３．
以下、実施の形態１及び２との相違点を中心に、設定端末及び設備管理システムの構成を説明する。実施の形態１又は２と同一又は相当する部分には同一の符号を付して、一部の説明を省略する。
【００４６】
図８は、実施の形態３における設備管理システムの構成図である。
【００４７】
図８に示すように、実施の形態３において、カメラ３は、設定端末４に内蔵されている。つまり、設定端末４は、例えば、カメラ機能を有するノートパソコン又はタブレット端末等である。実施の形態３において、設備設定部５は、複数設けられていない。実施の形態３において、設定端末４は、テーブル記憶部１０を備えていない。
【００４８】
実施の形態３において、設定端末４は、携帯可能に形成され、カメラ３を内蔵している。つまり、作業者は、設定端末４を携帯していれば、設備１を撮影することができる。これにより、設備１の画像と設備ＩＤとを関連付けるのに必要な機器を削減できる。このため、実施の形態３によれば、作業場所が狭い場合であっても容易に設備１の調整作業を行うことができる。
【００４９】
実施の形態３において、設定端末４は、実施の形態２と同様に、複数の設備設定部５及びテーブル記憶部１０を備えていてもよい。この場合、実施の形態２と同様に、複数の設備設定アプリケーションを用いて調整を行う場合であっても、設備１の画像と当該設備１を特定する情報とを自動で関連付けることができる。
【００５０】
実施の形態１、２及び３において、関連付け実行部９によって設備ＩＤと関連付けられた画像は、設備管理装置２に登録される。設備管理装置２への画像の登録は、作業者が設定端末４を操作することで行われてもよい。設備管理装置２への画像の登録は、関連付け実行部９により自動で行われてもよい。
【００５１】
実施の形態１、２及び３において、関連付け実行部９は、例えば、設定端末４と設備管理装置２との無線通信が可能な状態であれば、新規に画像が撮影されるたびに設備管理装置２への画像の登録を行ってもよい。関連付け実行部９は、例えば、設定端末４と設備管理装置２との無線通信が不可能な状態で設備ＩＤと関連付けられた画像が存在する場合は、無線通信が可能となった時点で当該画像を設備管理装置２に登録してもよい。これらの場合、設備管理装置２への画像の登録作業を自動化し、作業者の負担をさらに軽減することができる。
【００５２】
図９は、設定端末のハードウェア構成図である。
【００５３】
設定端末４における設備設定部５、ＩＤ抽出部６、画像保存部７、画像検出部８及び関連付け実行部９の各機能は、処理回路により実現される。処理回路は、専用ハードウェア５０であってもよい。処理回路は、プロセッサ５１及びメモリ５２を備えていてもよい。処理回路は、一部が専用ハードウェア５０として形成され、更にプロセッサ５１及びメモリ５２を備えていてもよい。図９は、処理回路が、その一部が専用ハードウェア５０として形成され、プロセッサ５１及びメモリ５２を備えている場合の例を示している。
【００５４】
処理回路の少なくとも一部が、少なくとも１つの専用ハードウェア５０である場合、処理回路は、例えば、単一回路、複合回路、プログラム化したプロセッサ、並列プログラム化したプロセッサ、ＡＳＩＣ、ＦＰＧＡ、又はこれらを組み合わせたものが該当する。
【００５５】
処理回路が少なくとも１つのプロセッサ５１及び少なくとも１つのメモリ５２を備える場合、設備設定部５、ＩＤ抽出部６、画像保存部７、画像検出部８及び関連付け実行部９の各機能は、ソフトウェア、ファームウェア、又はソフトウェアとファームウェアとの組み合わせにより実現される。ソフトウェア及びファームウェアはプログラムとして記述され、メモリ５２に格納される。プロセッサ５１は、メモリ５２に記憶されたプログラムを読み出して実行することにより、各部の機能を実現する。プロセッサ５１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。メモリ５２は、例えば、ＲＡＭ、ＲＯＭ、フラッシュメモリー、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等が該当する。
【００５６】
このように、処理回路は、ハードウェア、ソフトウェア、ファームウェア、又はこれらの組み合わせによって、設定端末４の各機能を実現することができる。なお、設備管理装置２の各機能も、図９に示す処理回路と同様の処理回路により実現される。
【産業上の利用可能性】
【００５７】
本発明に係る設定端末を備えた設備管理システムは、複数の設備を備えた建物に適用できる。
【符号の説明】
【００５８】
１  設備
２  設備管理装置
３  カメラ
４  設定端末
５  設備設定部
６  ＩＤ抽出部
７  画像保存部
８  画像検出部
９  関連付け実行部
１０  テーブル記憶部
５０  専用ハードウェア
５１  プロセッサ
５２  メモリ
【図１】
2017098583.tif 000004
【図２】
2017098583.tif 000005
【図３】
2017098583.tif 000006
【図４】
2017098583.tif 000007
【図５】
2017098583.tif 000008
【図６】
2017098583.tif 000009
【図７】
2017098583.tif 000010
【図８】
2017098583.tif 000011
【図９】
2017098583.tif 000012
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
管理対象となる領域に設置された複数の設備の調整にそれぞれ用いられる複数の設備設定部と、
前記複数の設備設定部の中から操作を受け付ける設備設定部を検出することにより、調整の対象となっている設備の設備ＩＤを前記設備設定部から抽出するＩＤ抽出部と、
カメラによって新規に撮影された画像を検出する画像検出部と、
前記ＩＤ抽出部による設備ＩＤの抽出及び前記画像検出部による画像の検出のうち一方が行われた状態で他方が行われた場合に、当該画像と当該設備ＩＤとを関連付ける関連付け実行部と、
を備えた設定端末。
【請求項２】
前記設備設定部は、グラフィカルユーザインターフェースを有するアプリケーションであり、
前記ＩＤ抽出部は、前記設備設定部のウィンドウ内に表示される設備ＩＤを画像認識により抽出する請求項１に記載の設定端末。
【請求項３】
前記設備設定部のウィンドウ内における設備ＩＤの表示位置を前記設備設定部ごとに示す表示位置テーブルを記憶しているテーブル記憶部を備え、
前記ＩＤ抽出部は、前記表示位置テーブルに基づいて設備ＩＤの抽出を行う請求項２に記載の設定端末。
【請求項４】
携帯可能に形成され、前記カメラを内蔵した請求項１から３のいずれか１項に記載の設定端末。
【請求項５】
請求項１から４のいずれか１項に記載の設定端末と、
管理対象となる領域に設置された設備を管理する設備管理装置と、
を備え、
前記関連付け実行部は、前記ＩＤ抽出部により抽出された設備ＩＤと関連付けられた画像を前記設備管理装置に登録する設備管理システム。
【手続補正２】
【補正対象書類名】明細書
【補正対象項目名】０００６
【補正方法】変更
【補正の内容】
【０００６】
本発明に係る設定端末は、管理対象となる領域に設置された複数の設備の調整にそれぞれ用いられる複数の設備設定部と、複数の設備設定部の中から操作を受け付ける設備設定部を検出することにより、調整の対象となっている設備の設備ＩＤを設備設定部から抽出するＩＤ抽出部と、カメラによって新規に撮影された画像を検出する画像検出部と、ＩＤ抽出部による設備ＩＤの抽出及び画像検出部による画像の検出のうち一方が行われた状態で他方が行われた場合に、当該画像と当該設備ＩＤとを関連付ける関連付け実行部と、を備えたものである。
【国際調査報告】
2017098583.tif 000013
2017098583.tif 000014